(57)【要約】【課題】伝送装置間の伝送路を簡易な構成および手順により冗長化可能な光ＷＤＭ伝送システムを提供すること。【解決手段】光ＷＤＭ送信装置５０では、広帯域光源５１およびｎ個のＲＳＯＡ５２とともにカラーレス光源を構成する光波長多重分離器としてｍ×ｎＡＷＧ５３を用い、広帯域光源５１からの光信号をｍ本の伝送路７０のいずれか１つに切り替えて入力する切替デバイス５４と、各伝送路７０から出力される監視光を受信し、受信した監視光に応じて切替デバイス５４に切替動作を指示する切替制御部５５とを設け、光ＷＤＭ受信装置６０では、前記同様の入出力波長特性を有するｍ×ｎＡＷＧ６２とともに、信号光とは波長の異なる監視光を発生して各伝送路７０に入力する監視光源６３を設けることで、変調単位ごとの波長の管理および制御を不要化し、受光器の数を削減する。【選択図】図６
2014204420.tif 000002
【特許請求の範囲】
【請求項１】
光ＷＤＭ送信装置と、光ＷＤＭ受信装置と、これらを互いに接続するｍ本の伝送路とから構成される光波長分割多重伝送システムであって、
前記光ＷＤＭ送信装置は、
所定の波長幅を有する広帯域光源と、
光変調機能とともに増幅および反射機能を有するｎ個の光変調器と、
ｍ×ｎ個の入出力ポートを有し、ｍ個のポートは前記ｍ本の伝送路にそれぞれ接続され、ｎ個のポートは前記ｎ個の光変調器にそれぞれ接続され、前記広帯域光源からの光信号をｎ個に波長多重分離可能な入出力波長特性を有する第１の光波長多重分離器と、
前記広帯域光源からの光信号を前記ｍ本の伝送路のいずれか１つに切り替えて入力する切替デバイスとを備え、
前記光ＷＤＭ受信装置は、
ｎ個の受光器と、
ｍ×ｎ個の入出力ポートを有し、ｍ個のポートは前記ｍ本の伝送路にそれぞれ接続され、ｎ個のポートは前記ｎ個の受光器にそれぞれ接続され、前記第１の光波長多重分離器と同様な入出力波長特性を有する第２の光波長多重分離器とを備えた
ことを特徴とする光波長分割多重伝送システム。
【請求項２】
前記光波長多重分離器はアレイ導波路回折格子である
ことを特徴とする請求項１に記載の光波長分割多重伝送システム。
【請求項３】
前記光変調器は反射型半導体光増幅器またはファブリ・ペロー−レーザダイオードまたは垂直キャビティ面発光レーザである
ことを特徴とする請求項１または２に記載の光波長分割多重伝送システム。
【請求項４】
前記光ＷＤＭ受信装置は、前記に加え、信号光とは波長の異なる監視光を発生して各伝送路に入力する監視光源を備え、
前記光ＷＤＭ送信装置は、前記に加え、各伝送路から出力される監視光を受信し、受信した監視光に応じて前記切替デバイスに切替動作を指示する切替制御部を備えた
ことを特徴とする請求項１乃至３のいずれかに記載の光波長分割多重伝送システム。
【請求項５】
前記光ＷＤＭ送信装置は、前記に加え、信号光とは波長の異なる監視光を発生して各伝送路に入力するとともに、各伝送路から出力される監視光を受信し、受信した監視光に応じて前記切替デバイスに切替動作を指示する切替制御部を備え、
前光ＷＤＭ受信装置は、前記に加え、信号光は透過し、監視光は反射する波長特性を有する反射体を備えた
ことを特徴とする請求項１乃至３のいずれかに記載の光波長分割多重伝送システム。
【請求項６】
前記切替制御部は前記監視光の光強度が所定の値以下であることを契機に前記切替デバイスに切替動作を指示する
ことを特徴とする請求項４または５に記載の光波長分割多重伝送システム。
【請求項７】
前記切替制御部は前記監視光を二乗検波し、所定の値以下であることを契機に前記切替デバイスに切替動作を指示する
ことを特徴とする請求項４または５に記載の光波長分割多重伝送システム。
【発明の詳細な説明】
【技術分野】
【０００１】
本発明は、光波長分割多重（Wavelength Division Multiplexing：ＷＤＭ）伝送システムにおける、伝送装置間の伝送路の冗長化技術に関する。
【背景技術】
【０００２】
近年、通信ネットワークでは伝送トラフィックの増加に伴い、光ＷＤＭ技術を用いた伝送システムが利用されている。
【０００３】
《一般的な光ＷＤＭ伝送システムの構成》
一般的な光ＷＤＭ伝送システムは光源、光ＭＵＸ／ＤＥＭＵＸ（Multiplexer/Demultiplexer：光波長多重分離器）、伝送路および受光器より構成される。
【０００４】
図１は従来の光ＷＤＭ伝送システムの一例を示すもので、入力（データ）信号によって変調された複数、ここではｎ個の異なる波長λ１，λ２，…λｎの信号光をそれぞれ発生する光源としてのｎ個のＬＤ（LASER Diode）１１と、光の波長に応じて光信号を多重または分離する光ＭＵＸ／ＤＥＭＵＸとしての１×ｎＡＷＧ（Arrayed Waveguide：アレイ導波路回折格子）１２とからなる送信ノード側光ＷＤＭ伝送装置（以下、「光ＷＤＭ送信装置」）１０と、前記同様の１×ｎＡＷＧ２１と、複数、ここではｎ個の受光器としてのＰＤ（Photo Diode）２２とからなる受信ノード側光ＷＤＭ伝送装置（以下、「光ＷＤＭ受信装置」）２０と、これらを互いに接続する伝送路３０とより構成されている。
【０００５】
なお、ＬＤの代わりに波長可変ＬＤ（Tunable LD）を、また、ＡＷＧの代わりに誘電体多層膜フィルタを用いても良く、伝送路３０には通常、光ファイバが使用される。
【０００６】
図２は従来の光ＷＤＭ伝送システムの他の例を示すもので、光源として広帯域光源（例えば、ＡＳＥ（amplified spontaneous emission）等）を用いた点が図１と異なる。即ち、光ＷＤＭ送信装置１０ｂは、ｎ個のＬＤ１１の代わりに光変調機能とともに増幅および反射機能を有する光変調器、例えばＲＳＯＡ（Reflective Semiconductor Optical Amplifier：反射型半導体光増幅器）１３をｎ個備えており、また、光ＷＤＭ受信装置２０ｂは、前記同様の１×ｎＡＷＧ２１およびｎ個のＰＤ２２の他、広帯域光源２３および光サーキュレータ２４を備えている。
【０００７】
そして、広帯域光源２３からの出力光は光サーキュレータ２４を介して伝送路３０に出力され、光ＷＤＭ受信装置２０ｂから光ＷＤＭ送信装置１０ｂへ送られ、１×ｎＡＷＧ１２にて波長毎にスライスされ、１つの光源から複数、ここではｎ個の波長λ１，λ２，…λｎの光信号が生成される。スライスされた各波長の光信号はそれぞれ各ＲＳＯＡ１３により、入力信号に応じてｎ個の異なる波長λ１，λ２，…λｎの信号光に変調されるとともに増幅および反射され、１×ｎＡＷＧ１２によって波長多重され、伝送路３０を介して光ＷＤＭ受信装置２０ｂに伝送される。なお、ＲＳＯＡの代わりにファブリ・ペロー−レーザダイオード（Fabry Perot−ＬＤ）または垂直キャビティ面発光レーザ（ＶＣＳＥＬ）を用いても良い。
【０００８】
本構成は、光ＷＤＭ受信装置２０ｂをＯＳＵ（Optical Subscriber Unit）、光ＷＤＭ送信装置１０ｂの１×ｎＡＷＧおよびＲＳＯＡをそれぞれ、光波長多重分離器（波長スプリッタ）およびＯＮＵ（Optical Network Unit）と読み替えると、波長供給方式の光ＷＤＭ−ＰＯＮ（Passive Optical Network）とみなすことができる。また、光ＷＤＭ−ＰＯＮのその他の形態として、広帯域光源をＯＮＵに搭載する自発光方式についても研究例がある（例えば、非特許文献１を参照）。
【０００９】
《光ＷＤＭ伝送システムの伝送路冗長方式》
図３は伝送路を冗長化した従来の光ＷＤＭ伝送システムの一例、ここでは特許文献１に記載された従来の光波長多重アクセスシステムを示すもので、ｎ個のＬＤ（光源）４１、波長周回性を有する２×ｎＡＷＧ４２、２個の１×ｎＡＷＧ４３ｗ，４３ｐ、２ｎ個のＰＤ（受光器）４４、２個の光スイッチ４５ｗ，４５ｐ、切替制御部４６、ｎ本の伝送路４７および２本の伝送路４８ｗ，４８ｐとから構成されている。
【００１０】
ここで、ＬＤ４１はＯＮＵを構成し、２×ｎＡＷＧ４２は光波長多重分離器を構成し、１×ｎＡＷＧ４３ｗ，４３ｐ、ＰＤ４４、光スイッチ４５ｗ，４５ｐおよび切替制御部４６はＯＳＵを構成し、伝送路４７はＯＮＵと光波長多重分離器との間（アクセス区間）の伝送路を構成し、伝送路４８ｗおよび４８ｐは光波長多重分離器とＯＳＵとの間（多重区間）の現用系および予備系の伝送路を構成する。
【００１１】
前記構成において、ｎ個のＬＤ４１はそれぞれアクセス区間のｎ本の伝送路４７を介して２×ｎＡＷＧ４２のｎ個のポートに接続され、２×ｎＡＷＧ４２の２個のポートには多重区間の現用系および予備系に利用する２つの伝送路４８ｗ，４８ｐが接続されている。現用系および予備系の２つの伝送路４８ｗ，４８ｐは、それぞれ光スイッチ４５ｗ，４５ｐおよび１×ｎＡＷＧ４３ｗ，４３ｐを介してｎ個のＰＤ４４に接続されている。
【００１２】
一般に、図４に示すような、ｍ個の入力ポートおよびｎ個の出力ポートを有し、波長周回性を有するｍ×ｎＡＷＧの場合、入出力ポートと波長との間には図５に示すような関係がある。尚、入力ポートと出力ポートを入れ替えても波長の対応関係は同一である（例えば、非特許文献２を参照）。
【００１３】
そして、前述した光波長多重アクセスシステムでは、ＯＳＵ内の切替制御部４６が伝送路４８ｗ，４８ｐの異常を監視し、異常が認められた際に光スイッチ４５ｗ，４５ｐにより伝送路４８ｗ，４８ｐの切替を行う。
【発明の概要】
【発明が解決しようとする課題】
【００１４】
しかしながら、前述した従来の伝送路の冗長化技術では、ＯＮＵ側、つまり光ＷＤＭ送信装置側の光源として、現用系および予備系のための２つの異なる波長を発振可能な光源を必要とし、かつ、ＡＷＧに光を結合するために前記光源は波長の管理および制御が必要であることから、光源が高コスト化するという第１の課題があった。これは入出力ポートの位置によって入出力可能な波長が一意に決定されてしまうというＡＷＧの物理的性質に起因する。
【００１５】
さらに、冗長用（予備系）の伝送路の数を増加させると、光ＷＤＭ送信装置では、増加した伝送路の本数分だけ、新たな波長を発振可能な光源が必要になるとともに、ＯＳＵ側、つまり光ＷＤＭ受信装置では、受光器の数が（増加した伝送路の数）×（ＯＮＵの最大収容数）分増加することになるため、装置コストが高コスト化するという第２の課題があった。
【００１６】
本発明は、上記課題を解消するためになされたものであり、その目的は、簡易な構成および手順により伝送装置間の伝送路の冗長化が可能な光ＷＤＭ伝送システムを提供することにある。
【課題を解決するための手段】
【００１７】
前記目的を達成するため、本発明に係る光ＷＤＭ伝送システムは、広帯域光源およびｎ個の光変調器とともにカラーレス光源を構成する光波長多重分離器としてｎ×ｍポートの光波長多重分離器を用い、これに広帯域光源からの光信号をｍ本の伝送路のいずれかに切り替えて入力可能な切替デバイスを組み合わせる構成とした。
【００１８】
具体的には、本発明に係る光波長分割多重伝送システムは、
光ＷＤＭ送信装置と、光ＷＤＭ受信装置と、これらを互いに接続するｍ本の伝送路とから構成される光波長分割多重伝送システムであって、
前記光ＷＤＭ送信装置は、
所定の波長幅を有する広帯域光源と、
光変調機能とともに増幅および反射機能を有するｎ個の光変調器と、
ｍ×ｎ個の入出力ポートを有し、ｍ個のポートは前記ｍ本の伝送路にそれぞれ接続され、ｎ個のポートは前記ｎ個の光変調器にそれぞれ接続され、前記広帯域光源からの光信号をｎ個に波長多重分離可能な入出力波長特性を有する第１の光波長多重分離器と、
前記広帯域光源からの光信号を前記ｍ本の伝送路のいずれか１つに切り替えて入力する切替デバイスとを備え、
前記光ＷＤＭ受信装置は、
ｎ個の受光器と、
ｍ×ｎ個の入出力ポートを有し、ｍ個のポートは前記ｍ本の伝送路にそれぞれ接続され、ｎ個のポートは前記ｎ個の受光器にそれぞれ接続され、前記第１の光波長多重分離器と同様な入出力波長特性を有する第２の光波長多重分離器とを備えた
ことを特徴とする。
【００１９】
本システムによれば、光ＷＤＭ送信装置において広帯域光源からの光信号を光波長多重分離器で各波長の光信号に分離して光変調器に入力し、変調および増幅するとともに反射して再び光波長多重分離器を介して伝送路へ出力することで、変調単位である入力（データ）信号ごとの波長の管理および制御を不要化でき、かつ、光ＷＤＭ受信装置においてｍ×ｎポートの光波長多重分離器を用いることで受光器の数を削減することができる。従って、簡易な構成で伝送路の冗長化が可能な光ＷＤＭ伝送システムを提供できる。
【００２０】
また、前述した光波長分割多重伝送システムにおいて、
前記光波長多重分離器はアレイ導波路回折格子（ＡＷＧ）である
ことを特徴とする。
【００２１】
本システムによれば、光波長多重分離器にＡＷＧを用いることで、ＡＷＧの有するサイクリックな入出力波長特性を利用することが可能であり、光波長多重分離器を簡易に構成できる。
【００２２】
また、前述した光波長分割多重伝送システムにおいて、
前記光変調器は反射型半導体光増幅器（ＲＳＯＡ）またはファブリ・ペロー−レーザダイオード（ＦＰ−ＬＤ）または垂直キャビティ面発光レーザ（ＶＣＳＥＬ）である
ことを特徴とする。
【００２３】
本システムによれば、広帯域光源が発生する光信号を光波長多重分離器が分離し、複数の信号波長を得ることができ、かつ、ＲＳＯＡ、ＦＰ−ＬＤ、ＶＣＳＥＬ等が前記光波長多重分離器を通して分離された光信号が有する波長で主発振することから波長の管理および制御を不要化できる。
【００２４】
また、前述した光波長分割多重伝送システムにおいて、
前記光ＷＤＭ受信装置は、前記に加え、信号光とは波長の異なる監視光を発生して各伝送路に入力する監視光源を備え、
前記光ＷＤＭ送信装置は、前記に加え、各伝送路から出力される監視光を受信し、受信した監視光に応じて前記切替デバイスに切替動作を指示する切替制御部を備えた
ことを特徴とする。
本システムによれば、簡易な構成で伝送路を監視の上、伝送路を切り替えることができる。
【００２５】
また、前述した光波長分割多重伝送システムにおいて、
前記光ＷＤＭ送信装置は、前記に加え、信号光とは波長の異なる監視光を発生して各伝送路に入力するとともに、各伝送路から出力される監視光を受信し、受信した監視光に応じて前記切替デバイスに切替動作を指示する切替制御部を備え、
前記光ＷＤＭ受信装置は、前記に加え、信号光は透過し、監視光は反射する波長特性を有する反射体を備えた
ことを特徴とする。
【００２６】
本システムによれば、伝送路の監視に係る機能を光ＷＤＭ送信装置のみに搭載する簡易な構成で、伝送路の切り替えを実現することができる。
【００２７】
また、前述した光波長分割多重伝送システムにおいて、
前記切替制御部は前記監視光の光強度が所定の値以下であることを契機に前記切替デバイスに切替動作を指示する
ことを特徴とする。
【００２８】
本システムによれば、監視光源が発光する監視信号の強度を判定し、伝送路の状態に応じて、伝送路の切り替えを実施することができる。
【００２９】
また、前述した光波長分割多重伝送システムにおいて、
前記切替制御部は前記監視光を二乗検波し、所定の値以下であることを契機に前記切替デバイスに切替動作を指示する
ことを特徴とする。
【００３０】
本システムによれば、監視光源が発光する監視信号の強度を正確に測定し、伝送路の状態に応じて、伝送路の切り替えを実施することができる。
【発明の効果】
【００３１】
本発明によれば、簡易な構成および手順で伝送装置間の伝送路の冗長化が可能な光ＷＤＭ伝送システムを提供することができる。
【図面の簡単な説明】
【００３２】
【図１】従来の光ＷＤＭ伝送システムの一例を示す構成図
【図２】従来の光ＷＤＭ伝送システムの他の例を示す構成図
【図３】伝送路を冗長化した従来の光ＷＤＭ伝送システムの一例を示す構成図
【図４】ｍ×ｎＡＷＧの一例を示す構成図
【図５】ｍ×ｎＡＷＧにおける入出力ポートと波長との関係を示す説明図
【図６】本発明の光ＷＤＭ伝送システムの第１の実施の形態を示す構成図
【図７】第１の実施の形態における伝送路切替制御の一例を示す処理の流れ図
【図８】本発明の光ＷＤＭ伝送システムの第２の実施の形態を示す構成図
【発明を実施するための形態】
【００３３】
以下、本発明の実施の形態について図面を参照して詳細に記述するが、本発明は以下の実施の形態に制限されるものではない。
【００３４】
＜第１の実施の形態＞
図６は本発明の光ＷＤＭ伝送システムの第１の実施の形態を示すもので、本光ＷＤＭ伝送システムは、光ＷＤＭ送信装置（送信ノード側光ＷＤＭ伝送装置）５０と、光ＷＤＭ受信装置（受信ノード側光ＷＤＭ伝送装置）６０と、これらを互いに接続するｍ（２以上の整数）本（図面では３本）の伝送路７０とから構成されている。
【００３５】
光ＷＤＭ送信装置５０は、所定の波長幅を有する広帯域光源５１と、光変調機能とともに増幅および反射機能を有するｎ（２以上の整数）個の光変調器、ここではＲＳＯＡ５２と、ｍ×ｎ個の入出力ポートを有し、広帯域光源５１からの光信号をｎ個に波長多重分離可能な入出力波長特性を有する第１の光波長多重分離器、ここではｍ×ｎＡＷＧ５３と、広帯域光源５１からの光信号をｍ本の伝送路７０のいずれか１つに切り替えて入力する切替デバイス５４と、各伝送路７０から出力される監視光を受信し、受信した監視光に応じて切替デバイス５４に切替動作を指示する切替制御部５５とを備えている。
【００３６】
ここで、ｎ個のＲＳＯＡ５２は光ファイバを介してｍ×ｎＡＷＧ５３のｎ個のクライアント側ポートにそれぞれ接続され、ｍ×ｎＡＷＧ５３のｍ個のＷＤＭ側ポートはｍ本の伝送路７０とそれぞれ接続されている。また、切替デバイス５４は各伝送路７０とそれぞれ光サーキュレータ５６を介して接続されている。また、切替デバイス５４は、広帯域光源５１と光ファイバで接続され、切替制御部５５と光ファイバまたは電子回路によって接続されている。さらにまた、切替制御部５５は、（図示しない）光カプラを介して各伝送路７０とそれぞれ接続されている。
【００３７】
尚、広帯域光源５１は１個に限られず、２個以上あっても良い。また、光波長多重分離器としてＡＷＧを例としたが、誘電体多層膜やグレーティングを組み合わせたその他の光波長多重分離器を用いても良い。また、光変調器としてＲＳＯＡの代わりにＰＦ−ＬＤやＶＣＳＥＬを用いても良い。さらに、変調器にＬＮ（Lithium Niobate）変調器を、増幅器にＳＯＡ（Semiconductor Optical Amplifier）を用いて、変調器と増幅器を別々のデバイスとする構成を採っても良い。尚、光サーキュレータ５６は、光カプラやミラーまたはフィルタを組み合わせた構成を採用しても良い。
【００３８】
光ＷＤＭ受信装置６０は、ｎ個の受光器、ここではＰＤ６１と、ｍ×ｎ個の入出力ポートを有し、前記ｍ×ｎＡＷＧ５３と同様な入出力波長特性を有する第２の光波長多重分離器、ここではｍ×ｎＡＷＧ６２と、信号光とは波長の異なる監視光を発生して各伝送路７０に入力する監視光源６３とを備えている。
【００３９】
ここで、各伝送路７０はｍ×ｎＡＷＧ６２のｍ個のＷＤＭ側ポートにそれぞれ接続され、ｍ×ｎＡＷＧ６２のｎ個のクライアント側ポートは光ファイバを介してｎ個のＰＤ６１とそれぞれ接続されている。また、監視光源６３は各伝送路７０とそれぞれ光サーキュレータ６４を介して接続されている。
【００４０】
まず、前記システムにおける信号伝送に関する動作を説明する。
【００４１】
広帯域光源５１は所定の波長幅を有するＣＷ光を発生する。ＣＷ光は、切替デバイス５４によって選択された光ファイバを介して光サーキュレータ５６に達する。ここで光サーキュレータ５６はＣＷ光を光ＷＤＭ送信装置５０内のｍ×ｎＡＷＧ５３方向にのみ伝送する役割を果たす。光サーキュレータ５６を介してｍ×ｎＡＷＧ５３に達したＣＷ光は、ｍ×ｎＡＷＧ５３により特定の波長毎、ここではｎ個の異なる波長λ１，λ２，…λｎにスライスされてｎ個のＲＳＯＡ５２にそれぞれ達する。
【００４２】
ｎ個のＲＳＯＡ５２では、ｍ×ｎＡＷＧ５３によってスライスされたｎ個の異なる波長λ１，λ２，…λｎの光信号をそれぞれ入力（データ）信号に応じて変調するとともに増幅し、反射する。ｎ個のＲＳＯＡ５２により変調、増幅および反射されたｎ個の異なる波長λ１，λ２，…λｎの信号光は再びｍ×ｎＡＷＧ５３によって波長多重され、光サーキュレータ５６に至る。ここで、光サーキュレータ５６は、波長多重された信号光を光ＷＤＭ受信装置６０方向の伝送路７０にのみ伝送する役割を果たす。
【００４３】
光ＷＤＭ受信装置６０において、伝送路７０は光サーキュレータ６４を介してｍ×ｎＡＷＧ６２に接続されている。ここで光サーキュレータ６４は波長多重された信号光をｍ×ｎＡＷＧ６２方向にのみ伝送する役割を果たす。波長多重された信号光はｍ×ｎＡＷＧ６２によりｎ個の異なる波長λ１，λ２，…λｎの信号光に波長分離され、ｎ個のＰＤ６１にそれぞれ至り、出力（データ）信号に変換される。
【００４４】
次に、前記システムにおける伝送路の切替に関する機能構成を説明する。
【００４５】
光ＷＤＭ受信装置６０は監視光源６３を有し、光ＷＤＭ送信装置５０は切替制御部５５を有する。監視光源６３は光サーキュレータ６４を介してｍ本の各伝送路７０と接続し、切替制御部５５は（図示しない）光カプラを通してｍ本の各伝送路７０に接続されている。
【００４６】
次に、前記システムにおける伝送路の切替動作について図７の動作フローを用いて説明する。
【００４７】
光ＷＤＭ受信装置６０の監視光源６３は、前記ｎ個の信号光の各波長λ１，λ２，…λｎとは異なる特定の波長のＣＷ光による監視光を発生する。この監視用ＣＷ光はサーキュレータ６４を介して各伝送路７０に入力され、当該各伝送路７０を伝搬して光ＷＤＭ送信装置５０に到達し、（図示しない）光カプラを介して切替制御部５５に至る。切替制御部５５では、監視用ＣＷ光をモニタする。
【００４８】
ここで、切替制御部５５は、監視用ＣＷ光の強度が一定時間、所定の値以下であった場合、伝送路７０に異常が発生していると判断し、切替デバイス５４に伝送路７０の切替動作を指示する。尚、切替制御部５５は切替えるべき伝送路７０の順序を予め保持しておいても良い。また、装置外部から切替制御部５５に対して指示を与えて切り替える、例えば光ＷＤＭ送信装置５０外の監視ネットワークに存在する切替指示装置から、光ファイバやメタルケーブル等を介して切替制御部５５に伝送路７０の切替を指示する信号を伝達することにより、装置外部から伝送路７０を切り替えるようにすることもできる。
【００４９】
切替デバイス５４は切替制御部５５の指示に従い、広帯域光源５１が発生するＣＷ光をｍ×ｎＡＷＧ５３に伝える光ファイバを切り替える。
【００５０】
また、伝送路の切替動作は次の通りであっても良い。
【００５１】
光ＷＤＭ受信装置６０の監視光源６３は、前記ｎ個の信号光の各波長λ１，λ２，…λｎとは異なる特定の波長の変調光による監視光を発生する。この監視用変調光はサーキュレータ６４を介して各伝送路７０に入力され、当該各伝送路７０を伝搬して光ＷＤＭ送信装置５０に到達し、（図示しない）光カプラを介して切替制御部５５に至る。切替制御部５５では、監視用変調光をモニタする。
【００５２】
ここで、切替制御部５５は、監視用変調光を二乗検波し、そのスペクトル強度が一定時間、所定の値以下であった場合、伝送路７０に異常が発生していると判断し、切替デバイス５４に伝送路７０の切替動作を指示する。
【００５３】
本実施の形態では、光ＷＤＭ送信装置においてＡＷＧが波長分離した光信号をＲＳＯＡが変調および増幅することで、変調単位である入力（データ）信号ごとの波長の管理および制御を不要化でき、かつ、光ＷＤＭ受信装置においてｎ×ｍポートのＡＷＧを用いることで受光器の数を削減することができる。従って、簡易な構成で伝送路の冗長化が可能な光ＷＤＭ伝送システムを提供できる。
【００５４】
＜第２の実施の形態＞
図８は本発明の光ＷＤＭ伝送システムの第２の実施の形態を示すもので、光ＷＤＭ受信装置側に監視光源を用いないことが第１の実施の形態の場合と異なる。
【００５５】
即ち、光ＷＤＭ送信装置５０ｂは、第１の実施の形態における切替制御部５５の代わりに、信号光とは波長の異なる監視光を発生して各伝送路７０に入力するとともに、各伝送路７０から出力される監視光を受信し、受信した監視光に応じて切替デバイス５４に切替動作を指示する切替制御部５７を備えている。
【００５６】
また、光ＷＤＭ受信装置６０ｂは、第１の実施の形態における監視光源および光サーキュレータの代わりに、信号光の波長は透過し、監視光の波長は反射する波長特性を有する反射体６５が各伝送路７０に設けられている。尚、反射体６５には、ミラーやフィルタ、グレーティング等を用いることができる。
【００５７】
切替制御部５７はｎ個の信号光の各波長λ１，λ２，…λｎとは異なる特定の波長の監視用ＣＷ光または監視用変調光を発生する。この監視用ＣＷ光または監視用変調光は（図示しない）光カプラを介して各伝送路７０に入力され、当該各伝送路７０を伝搬して光ＷＤＭ受信装置６０ｂに到達し、その反射体６５にて反射される。反射された監視用ＣＷ光または監視用変調光は、各伝送路７０を伝搬して光ＷＤＭ送信装置５０ｂに到達し、（図示しない）光カプラを介して切替制御部５７に受信される。切替制御部５７は受信した監視用ＣＷ光の強度が一定時間、所定の値以下であった場合、または受信した監視用変調光を二乗検波し、そのスペクトル強度が一定時間、所定の値以下であった場合、伝送路７０に異常が発生していると判断し、切替デバイス５４に伝送路７０の切替動作を指示する。
【００５８】
本実施の形態では、伝送路の監視に係るアクティブ素子を光ＷＤＭ送信装置のみに搭載する簡易な構成で、伝送路の切り替えを実現することができる。
【符号の説明】
【００５９】
５０，５０ｂ：光ＷＤＭ送信装置（送信ノード側光ＷＤＭ伝送装置）、５１：広帯域光源、５２：ＲＳＯＡ、５３，６２：ｍ×ｎＡＷＧ、５４：切替デバイス、５５，５７：切替制御部、５６，６４：光サーキュレータ、６０，６０ｂ：光ＷＤＭ受信装置（受信ノード側光ＷＤＭ伝送装置）、６１：ＰＤ（受光器）、６３：監視光源、６５：反射体、７０：伝送路。
【先行技術文献】
【特許文献】
【００６０】
【特許文献１】国際公開第２００４／１０７６２６号公報
【非特許文献】
【００６１】
【非特許文献１】Takashi Mitsui, Kazutaka Hara, Masamichi Fujiwara, Jun-ichi Kani, Masashi Tadokoro, Naoto Yoshimoto and Hisaya Hadama, "Simple and Scalable WDM/TDMA-PON using Spectral Slicing and Forward Error Correction," OSA conference on OFC/NFOFC 2011, OTuB5, Los Angeles, CA, USA(2011）
【非特許文献２】Osamu Ishida and Hiroshi Takahashi, "Loss-Imbalance Equalization in Arrayed-Waveguide-Grating (AWG) Multiplexer Cascades," Journal of lightwave technology, Vol.13, No.6, pp1155-1163, (1995)
【図１】
2014204420.tif 000003
【図２】
2014204420.tif 000004
【図３】
2014204420.tif 000005
【図４】
2014204420.tif 000006
【図５】
2014204420.tif 000007
【図６】
2014204420.tif 000008
【図７】
2014204420.tif 000009
【図８】
2014204420.tif 000010